(57)【要約】【課題】第２の電子部の試験等をする際にその都度コネクタを外す必要が生じないブリッジコネクタを得る。【解決手段】第１の電子部に接続された第１のコネクタプラグ１３と第２の電子部に接続された第２のコネクタプラグ１５と、第１のコネクタプラグ１３と第２のコネクタプラグ１５の１以上のピン同士を接続するブリッジ端子１８ａ、１８ｂを備えたブリッジコネクタ本体１１と、第３の電子部２０に接続され、第１のコネクタプラグ１３とブリッジ端子１８ａ、１８ｂの接続を解除する手段と第２のコネクタプラグ１５に接続される接続端子１９ａ，１９ｂを備えた切替えプラグ１９とを設ける。これによって、切替えプラグをブリッジコネクタに差し込む簡単な操作により、第２の電子部と第１の電子部との接続を切り離すと共に、そこに試験装置などの第３の電子部を第２の電子部と接続することができる。【選択図】        図２
2004164886.tif 000002
【特許請求の範囲】
【請求項１】
第１の電子部に接続された第１のコネクタプラグと第２の電子部に接続された第２のコネクタプラグと、
前記第１のコネクタプラグと前記第２のコネクタプラグの少なくとも１以上のピン同士を接続するブリッジ端子を備えたブリッジコネクタ本体と、
第３の電子部に接続され、前記第１のコネクタプラグとブリッジ端子の接続を解除する手段と第２のコネクタプラグに接続される端子とを備えた切替えプラグとを有することを特徴とするブリッジコネクタ。
【請求項２】
前記切替えプラグの前記第１のコネクプラグとブリッジ端子の接続を解除する手段が絶縁性のピンからなることを特徴とする請求項１に記載のブリッジコネクタ。
【請求項３】
前記切替えプラグの前記第３の電子部と第２の電子部を接続する端子が、前記ブリッジコネクタ本体のブリッジ端子の一部と接触可能なピンであることを特徴とする請求項１又は２に記載のブリッジコネクタ。
【発明の詳細な説明】
【０００１】
【発明の属する技術分野】
この発明は、少なくとも２つの電子回路、電子部品又は電子デバイス等の電子部における端子の間を接続するブリッジコネクタ、に関する。
【０００２】
【従来の技術】
従来、少なくとも２つの電子部間を接続するブリッジコネクタ１として、図４に示すようなブリッジコネクタがある。これは、基板の上に電子回路部品を実装した第１の電子部２に接続された第１のコネクタプラグ３と、例えばハードディスク駆動装置を内蔵した第２の電子部４と接続した第２のコネクタプラグ５との間をその側端部で接続するもので、第１のコネクタプラグの端子ピン６と第２のコネクタプラグ５の端子ピン７間をブリッジするコの字状のブリッジ端子８をケーシング１ａに収納したものであった。なお、第２の電子部４は、取付金具４ａにより基板に取り付けられていた。
【０００３】
【発明が解決しようとする課題】
しかしながら、この従来のブリッジコネクタ１においては第２の電子部４、例えばハードディスク駆動装置を第１の電子部２、例えば制御回路装置から切り離して試験を行う場合ブリッジコネクタ１を第１、第２のコネクタプラグ３，５から外し、第２の電子部４が接続されている第２のコネクタプラグ５に図示しない試験装置のコネクタを接続していた。このように試験を行う都度コネクタプラグからブリッジコネクタ１を外し、また元に戻すことは工数を要し、面倒でもあった。
【０００４】
そこで、本発明の課題は、従来のブリッジコネクタのように第２の電子部の試験等をする際にその都度コネクタを外す必要が生じないブリッジコネクタを提供することである。
【０００５】
【課題を解決するための手段】
上記の課題を解決するため、本発明では、第１の電子部に接続された第１のコネクタプラグと第２の電子部に接続された第２のコネクタプラグと、
前記第１のコネクタプラグと前記第２のコネクタプラグの少なくとも１以上のピン同士を接続するブリッジ端子を備えたブリッジコネクタ本体と、
第３の電子部に接続され、前記第１のコネクタプラグとブリッジ端子の接続を解除する手段と第２のコネクタプラグに接続される端子とを備えた切替えプラグとを有するブリッジコネクタとする。これによって、切替えプラグをブリッジコネクタに差し込む簡単な操作により、第２の電子部と第１の電子部との接続を切り離すと共に、そこに試験装置などの第３の電子部を第２の電子部と接続することができ、その際ブリッジコネクタを第２の電子部と第１の電子部から取り外す必要がないので接続作業の工数が大幅に削減できる。
【０００６】
また、前記切替えプラグの前記第１のコネクプラグとブリッジ端子の接続を解除する手段を絶縁性のピンとすれば、極めて簡単な構造で、前記解除する手段を実現できる。
【０００７】
また、前記切替えプラグの前記第３の電子部と第２の電子部を接続する端子を、前記ブリッジコネクタ本体のブリッジ端子の一部と接触可能なピンとすれば、ブリッジコネクタ本体のブリッジ端子を活用して簡単で纏まった構造を実現できる。
【０００８】
【発明の実施の形態】
以下本発明の実施の形態を図を参照しつつ説明する。図１は、本発明による一実施の形態としてのブリッジコネクタを示す分解斜視図である。説明の便宜上、ブリッジコネクタにより接続される被接続電子部の一部も示している。図２は、図１のブリッジコネクタの接続状態を示す部分断面側面図である。図３は、図１の実施の形態における切替えプラグの右側面図である。なお、すでに説明した図４の従来のブリッジコネクタと対応する部分は原則として１０を加えた番号としている。
【０００９】
図１、図２において、本発明による本実施の形態のブリッジコネクタ１００は、例えば基板の上に電子回路部品を実装した第１の電子部１２に接続される第１のコネクタプラグ１３と、例えばハードディスク駆動装置を内蔵した第２の電子部１４と接続される第２のコネクタプラグ１５と、この間を接続するブリッジコネクタ本体１１と、例えば、試験装置などの第３の電子部２０を接続する切替えプラグ１９とから構成されている。ブリッジコネクタ本体１１は、第１のコネクタプラグ１３の端子ピン１６ａと第２のコネクタプラグ１５の端子ピン１７ａ間をブリッジ接続する、ここではコの字状の外側端子１８ａ、及び、第１のコネクタプラグ１３の端子ピン１６ｂと第２のコネクタプラグ１５の端子ピン１７ｂ間をブリッジ接続するコの字状の内側端子１８ｂをケーシング１１ａ内に収納する。なお、第２の電子部１４は、取付金具１４ａにより基板に取り付けられているものとして図２には表示されている。
【００１０】
切替えプラグ１９は、図３に示すように、その本体から、外側に接続端子ピン１９ａ，１９ｂを、内側にプラスチックやセラミック等の絶縁性材料で構成した棒状接続解除ピン１９ｃ，１９ｄを突出させている。すなわち、第１のコネクタプラグ１３とブリッジ端子１８ａ，１８ｂの接続を解除する手段（接続解除ピン１９ｃ、１９ｄ）と第３の電子部２０と第２のコネクタプラグ１５と接続する手段（接続端子ピン１９ａ，１９ｂ）を備えたものである。
【００１１】
ブリッジコネクタ本体１１のブリッジ端子１８ａ，１８ｂには、それぞれ第２接触片１８ｅ，１８ｆを設ける。切替えプラグ１９の接続端子ピン１９ａ，１９ｂはそれぞれ第２接触片１８ｅ，１８ｆと電気接続が可能である。
【００１２】
次に、上記の実施の形態の作用について説明する。通常の場合、図２に実線で示すように、ブリッジコネクタ本体１１はその取付けられた状態で、第１のコネクタクラブ１３と第２のコネクタクラブ１５とを、ブリッジ端子１８（外側端子１８ａ，内側端子１８ｂ）により電気的に接続している。試験装置２０を第２の電子部１４に繋いで第２の電子部１４の試験を行う場合、試験装置２０に繋がれた切替えプラグ１９をブリッジコネクタ本体１１の図２の下方の背方向から押し込むことにより、二点鎖線で示すように切替えが完了する。すなわち、切替えプラグ１９の接続解除ピン１９ｃは、第１のコネクタプラグ１３の端子ピン１６ａと外側端子１８ａの接触部１８ｃの間に入り、接触を遮断する。切替えプラグ１９の接続解除ピン１９ｄは、第１のコネクタプラグ１３の端子ピン１６ｂと内側端子１８ｂの接触部１８ｄの間に入り、接触を遮断する。これとともに、切替えプラグ１９の接続端子ピン１９ａ，１９ｂはそれぞれ第２接触片１８ｅ，１８ｆと電気接続を行う。
【００１３】
従って、切替えプラグ１９がブリッジコネクタ本体１１に差し込まれると第１のコネクタプラグ１３は切り離され、試験装置２０が第１の電子部１２と入れ替わり、第２の電子部１４と接続されて第２の電子部１４（ハードディス駆動装置等）の試験を行うことができる。
【００１４】
上記の実施の形態の説明では、ブリッジコネクタが通常に接続する回路などを、第１の電子部と第２の電子部として、第３の電子部と第２の電子部とを切替え接続するものに付き説明した。しかし、上記の例からも分かるとおり、本発明における、第１の電子部と第２の電子部とは、必要に応じて相互に称呼を入れ替えることもできるものであり、第１の電子部と第２の電子部とは、第３の電子部を含め、電子回路部品を含むものであればその内部構成は限定されるものではない。
【００１５】
【発明の効果】
以上説明したように、本発明のブリッジコネクタによれば、第１のコネクタプラグとブリッジ端子の接続を解除する手段と第２のコネクタプラグに接続される端子とを備えた切替えプラグを設けることにより、切替えプラグをブリッジコネクタに差し込む簡単な操作により、第２の電子部と第１の電子部との接続を切り離すと共に、そこに試験装置などの第３の電子部を第２の電子部と接続することができ、その際ブリッジコネクタを第２の電子部と第１の電子部から取り外す必要がないので接続作業の工数が大幅に削減できる。
【図面の簡単な説明】
【図１】本発明による一実施の形態としてのブリッジコネクタを示す分解斜視図である。説明の便宜上、ブリッジコネクタにより接続される被接続電子部の一部も示している。
【図２】図１のブリッジコネクタの接続状態を示す部分断面側面図である。
【図３】図１の実施の形態における切替えプラグの右側面図である。
【図４】従来のブリッジコネクタを示す斜視図である。
【符号の説明】
１１  ブリッジコネクタ本体、１１ａ  ケーシング、１２  第１の電子部、１３  第１のコネクタプラグ、１４  第２の電子部、１５  第２のコネクタプラグ、１６ａ，１６ｂ  端子ピン、１７ａ，１７ｂ  端子ピン、１８ａ，１８ｂ  ブリッジ端子（１８ａ  外側端子、１８ｂ  内側端子）、１８ｅ，１８ｆ  第２接触片、１９  切替えプラグ、１９ａ，１９ｂ  接続端子ピン、１９ｃ，１９ｄ  接続解除ピン、２０  第３の電子部、１００  ブリッジコネクタ。
【図１】
2004164886.tif 000003
【図２】
2004164886.tif 000004
【図３】
2004164886.tif 000005
【図４】
2004164886.tif 000006